(57)【特許請求の範囲】
【請求項１】
スプレー缶に突設した細長い管状のスプレーノズル先端部において、ノズル先端面が塞がれ、ノズル先端部のノズル側面に噴出孔が１箇所設けられ、前記噴出孔からノズルの軸芯に対して略平行に位置するノズルの根元部に、前記噴出孔の開口方向を示すマーカであって、
ノズルの根元部の該マーカの位置が、スプレー剤の噴射方向を示す前記マーカが設けられ、
前記マーカは、ノズルの根元部の外周縁部に帯状テープが巻き付けられ、該テープの両端部同士が接着された突起物であり、前記突起物の突起方向がスプレー剤の噴射方向を指すことを特徴とするスプレーノズル。
【発明の詳細な説明】
【技術分野】
【０００１】
本発明は、物体の裏側、細部等へ、方向自在に噴出することができるようにしたスプレーノズルに関するものである。
【背景技術】
【０００２】
従来から、スプレーノズルは、ノズル先端を噴霧する箇所に近づけ、正しい位置に噴霧させる目的に使用される。通常、ノズルの噴出孔はノズル先端面に設けられ、ノズルの長手方向に噴射される。そのため、機械内部の狭い箇所にあるナット、ベアリング、ギヤボックスあるいはヒンジ機構部品に対してグリスや錆止めを噴射する際、ノズルを挿し込んだ方向に対して垂直方向に噴射したい場合に、スプレー缶を横や斜めに傾けて噴射方向を調整するだけでは不十分である。
【０００３】
上記問題を解決するために、スプレー缶に突設した細長い管状の噴霧ノズル先端部において、対向する二側面にノズル孔をそれぞれ設けてなるスプレーノズルが知られている（例えば、特許文献１を参照）。
【０００４】
また、ノズルパイプの途中に蛇腹部を設けることで、噴霧する方向が自在に調整可能なスプレーノズルも知られている（例えば、特許文献２を参照）。
【先行技術文献】
【特許文献】
【０００５】
【特許文献１】実開昭６３−０３５４５７号公報
【特許文献２】特開２００７−７５５３号公報
【発明の概要】
【発明が解決しようとする課題】
【０００６】
しかしながら、特許文献１に開示されたスプレーノズルの場合、対向する二側面にノズル孔がそれぞれ設けられているので、一方向にだけ噴射したい場合には不都合である。
また、特許文献２に開示されたスプレーノズルの場合、ノズルパイプの途中に蛇腹部を設けているので、蛇腹部を動かして噴霧させたい箇所に合わせて変形させることが必要になる。ノズルパイプが直線状の場合は、ノズルパイプの最厚部に相当する空間さえあればノズルパイプを挿し込むことができるが、蛇腹部を動かして噴霧させたい箇所に合わせて変形させると、ノズルパイプが直線状ではなくなり、変形前と比べてノズルパイプを挿し込むための空間がより多く必要になる。その結果、ノズルパイプを挿し込むこと自体が困難になる。
【０００７】
また、ノズルの噴出孔を自在に動かし特定の方向に向けて噴霧させることができたとしても、どの方向に噴射されるかということを、利用者が確認できなければ、誤った方向に付着させてしまうことが考えられる。特許文献２のスプレーノズルの場合、ノズルパイプの途中に蛇腹部を設けているので、蛇腹部を動かして噴霧させたい箇所に合わせて変形させることが可能ではあるが、どのような形に変形させたかを使用者の手元で確認することはできない。そのため、複雑な構造の機械の内部にノズルパイプを挿し込み、ノズルパイプ先端部が使用者から見えない場合には、必ずしも意図した箇所への噴霧付着がなされないという問題がある。
【０００８】
上記状況に鑑みて、本発明は、スプレーノズルの噴出孔の開口方向を確認しながら、ノズルの軸芯に対して略垂直の方向に向けて噴出させるスプレーノズルを提供することを目的とする。
【課題を解決するための手段】
【０００９】
上記課題を解決すべく、本発明のスプレーノズルは、スプレー缶に突設した細長い管状のスプレーノズル先端部において、ノズル先端面が塞がれ、ノズル側面に噴出孔が１箇所設けられる。そして、噴出孔からノズルの軸芯に対して略平行に位置するノズルの根元部に、噴出孔の開口方向を確認するためのマーカが設けられる。
【００１０】
ここで、マーカは、ノズルの根元部に固着された樹脂製突起物、ノズルの根元部の外周縁部にテープが巻き付けられ、該テープの両端部同士が接着された突起物、或は、ノズルの根元部に塗装が施されたもの、これらの何れかであることが好ましい。
【００１１】
また、マーカは、ノズルの軸芯に対して略平行に、ノズル側面上に描かれた線であってもよい。これにより、噴射方向の確認がより正確となり、利用者の利便性を向上させる。さらに、マーカとしての線は、噴出孔の位置からノズルの根元部に至るまで描かれることがより好ましい。利用者による噴射方向の確認がより正確に行われるからである。
【００１２】
また、マーカは、スプレー缶を上方から見た場合、スプレー缶の筒部の外周よりも内側の位置に設けられることが好ましい。これにより、ノズルを機械内部に挿し込んだときに、ノズルに付けられたマーカが機械の内部の部品に引っ掛って利用を妨げるという不都合な事態を防止することができる。
【発明の効果】
【００１３】
本発明のスプレーノズルによれば、マーカにより噴射方向を確認しつつ、機械の細部などの狭小空間への的確な噴霧付着が可能となるといった効果がある。
【図面の簡単な説明】
【００１４】
【図１】実施例１のスプレーノズルの斜視図
【図２】実施例１のスプレーノズルを取付けたスプレー缶の平面図
【図３】実施例１のスプレーノズルを取付けたスプレー缶の斜視図
【図４】実施例１のスプレーノズルの使用例を示した図
【図５】スプレーノズルのマーカの態様の説明図
【発明を実施するための最良の形態】
【００１５】
以下、本発明の実施形態の一例を、図面を参照しながら詳細に説明していく。なお、本発明の範囲は、以下の実施例や図示例に限定されるものではなく、幾多の変更および変形が可能である。
【実施例１】
【００１６】
図１は、実施例１のスプレーノズルの斜視図を示している。
図１に示されるように、スプレーノズル１は、先端部の側面に噴出孔２が設けられているが、先端面３は塞がれている。他端の根元部の端部４は、開かれており、根元部の端部４をスプレー缶に取り付けて使用する。
【００１７】
スプレー剤５は、噴出孔２から噴射される。スプレー剤の噴射方向、すなわち、噴出孔２の開口方向を確認するため、マーカ６が設けられている。マーカ６は、スプレーノズル１の軸芯に対し平行に位置するスプレーノズル１の根元部に設けられているので、マーカ６の位置を確認することにより、どの方向にスプレー剤５が噴射されるのかが確認できる。
マーカ６は、スプレーノズル１の根元部に固着された三角形状の樹脂製突起物であるが、その他の材料、その他の形状でも良い。
【００１８】
スプレーノズル１の材質は、金属製のステンレスである。その他の金属材料、硬質性の樹脂製の材料のものであっても構わない。一方、マーカ６の材質も、スプレーノズル１と同様に、金属製あるいは樹脂製でも構わない。マーカ６が、スプレーノズル１と一体成型されている場合には、同じ材料が用いられる。
【００１９】
図２および図３は、それぞれ実施例１のスプレーノズル１を取付けたスプレー缶２１の平面図と斜視図である。図２および図３に示されるように、実施例１では、スプレー缶２１の上部にスプレーボタン２２が取付けられており、ノズル取付口２３に、スプレーノズル１の根元部の端部４を挿し込んで使用する構造となっている。
【００２０】
スプレーノズル１をスプレー缶２１に取付けた状態で上方から見ると（図２を参照）、マーカ６は、スプレー缶２１の筒部の外周よりも内側の位置、すなわちノズルの根元付近に設けられている。マーカ６がノズルの根元付近に設けられることで、スプレーノズルを機械内部に挿し込んだ場合でも、スプレーノズル１に設けたマーカ６が機械の内部部品に引っ掛るといった不都合な事態を防止できる。
【００２１】
図４は、実施例１におけるスプレーノズル１の使用例を示したものであり、（１）はボルトとナット、（２）はヒンジ機構部品、（３）はベアリング、（４）はギヤボックスの各々の使用例を示している。図４（１）は、ボルト９とナット１０の接着箇所に、スプレー剤５を噴霧付着させる様子を示している。図４（２）は、ヒンジ１１の接着箇所に、スプレー剤５を噴霧付着させる様子を示している。図４（３）は、ベアリング１２の回転箇所に、スプレー剤５を噴霧付着させる様子を示している。
【００２２】
図４（１）に示すボルト９とナット１０の接着箇所、図４（２）に示すヒンジ１１の接着箇所、および図４（３）に示すベアリング１２の回転箇所は、それぞれ、スプレーノズル１を挿し込む方向に対して垂直方向に位置しており、本発明のスプレーノズルの使用は効果的であるといえる。図４（４）は、ギヤボックス１３の内部のギヤ１４に、スプレー剤５を噴霧付着させる様子を示している。図４（４）に示すように、スプレーノズル１を挿し込めるような孔１５が狭小の場合、スプレーノズル１を挿し込んで、的確な位置にスプレー剤５を噴霧付着させることが可能である。
（その他の実施例）
【００２３】
噴出孔２の開口方向を確認するためのマーカの他の態様として、図５（１）に示すように、スプレーノズルの根元部の外周縁部に帯状テープを巻きつけて、そのテープの両端部同士を接着して形成される矩形状の突起物をマーカ６ａとしたものでも良い。
また、図５（２）に示すように、スプレーノズルの根元部に施された色塗装をマーカ６ｂとしたものでも良い。
さらに、図５（３）に示すように、スプレーノズルの軸芯に対して略平行に、噴出孔２の位置からノズルの根元部に至るまで描かれた線をマーカ６ｃとしたものでも良い。なお、図５（３）は、図５（１）（２）と異なり、噴出孔を正面として図示したものである。
【産業上の利用可能性】
【００２４】
本発明は、スプレー缶に取り付けるノズルとして有用である。
【符号の説明】
【００２５】
１  スプレーノズル
２  噴出孔
３  先端面
４  根元部の端部
５  スプレー剤
６，６ａ〜６ｃ  マーカ
９  ボルト
１０  ナット
１１  ヒンジ
１２  ベアリング
１３  ギヤボックス
１４  ギヤ
１５  孔
２１  スプレー缶
２２  スプレーボタン
２３  ノズル取付口
【図１】
0006024043.tif 000002
【図２】
0006024043.tif 000003
【図３】
0006024043.tif 000004
【図４】
0006024043.tif 000005
【図５】
0006024043.tif 000006